(57)【要約】      （修正有）【課題】便座に容易に取り付けることができるとともに使用時の安定感を向上させることができ、不使用時にトイレトレーニング具を紛失するリスクを低減しかつ良好な外観を得ることのできる猫用トイレを提供する。【解決手段】猫用トイレ１は、洋式トイレの便座に着脱可能に取り付けられる。猫用トイレ１は、便座の座面に平行な方向から便座に嵌着される嵌着部４を有する本体２と、本体２に設けられる猫用のトイレトレーニング具７を備える。トイレトレーニング具７は、不使用時に猫用トイレ１の本体２の内部に格納可能である。【選択図】図１
2017212978.tif 000002
【特許請求の範囲】
【請求項１】
洋式トイレの便座に着脱可能に取り付けられる猫用トイレであって、
前記便座の座面に平行な方向から前記便座に嵌着される嵌着部を有する本体と、
前記本体に設けられる猫用のトイレトレーニング具と、
を備え、
前記トイレトレーニング具は、不使用時に前記本体の内部に格納可能であることを特徴とする猫用トイレ。
【請求項２】
前記トイレトレーニング具は、前記本体に着脱可能に取り付けられるアーム部を備え、
前記アーム部は、折り畳み可能かつスライド収納可能である、請求項１に記載の猫用トイレ。
【請求項３】
前記嵌着部は、クッション性を有するクッション部を有し、
前記クッション部は、前記本体を前記便座に嵌着するときに前記便座と接触する位置に配置されている、請求項１に記載の猫用トイレ。
【請求項４】
前記本体の表面には、粗面加工が施されている、請求項１ないし請求項３のいずれかに記載の猫用トイレ。
【請求項５】
前記本体の表面には、使用時における猫の後ろ足に相当する位置に突起部が設けられている、請求項１ないし請求項４のいずれかに記載の猫用トイレ。
【請求項６】
前記トイレトレーニング具には、採尿カップが取り付け可能である、請求項１ないし請求項５のいずれかに記載の猫用トイレ。
【発明の詳細な説明】
【技術分野】
【０００１】
本発明は、洋式トイレの便座に取り付けられる猫用トイレに関する。
【背景技術】
【０００２】
従来、猫などのペット用のトイレは、専用の容器にトイレ用の砂（紙砂）を敷き詰めるものが一般的である。しかし、そのような従来のペット用のトイレでは、ペットが用を足すたびに汚物を掃除し、新しい砂を補充する必要がある。また、従来のペット用のトイレでは、猫の足に砂（排泄物の付着した砂）が付着して部屋中にまき散らされるおそれがある。そこで、洋式トイレを使ってペットに用を足させるペット用トイレが提案されている（特許文献１参照）。
【０００３】
この従来のペット用トイレでは、洋式トイレの便座の上に本体部分としてペットが用を足すためにしゃがみ込むことができるスペースであるベース板を載せ、そのベース板にトレイを上下に移動させることを目的とするトレイ取付穴を複数個開けた縦板を取り付け、その縦板を介して紙砂をのせる部分であるトレイを便器内で上下に移動させて使用する。これにより、ペットが洋式トイレで用を足せるように訓練づけることが可能となる。
【先行技術文献】
【特許文献】
【０００４】
【特許文献１】特開平１０−２４３７５４号公報
【発明の概要】
【発明が解決しようとする課題】
【０００５】
しかしながら、従来の猫用トイレにおいては、洋式トイレの便座の上にベース板を載せただけの構造であるため、便座への取付けは容易であるものの、使用時の安定感が低いという問題がある。また、トレイは、不使用時に別の場所に保管しておく必要がある。使用者（例えば、ペットの飼い主）から見えない場所にトレイを保管すると不使用時にトレイを紛失してしまうおそれがあり、一方、使用者から見える場所にトレイを保管すると、外観が損なわれるおそれがあるという問題がある。
【０００６】
本発明は、上記の課題に鑑みてなされたもので、便座に容易に取り付けることができるとともに使用時の安定感を向上させることができ、不使用時にトイレトレーニング具を紛失するリスクを低減しかつ良好な外観を得ることのできる猫用トイレを提供することを目的とする。
【課題を解決するための手段】
【０００７】
本発明の猫用トイレは、洋式トイレの便座に着脱可能に取り付けられる猫用トイレであって、前記便座の座面に平行な方向から前記便座に嵌着される嵌着部を有する本体と、前記本体に設けられる猫用のトイレトレーニング具と、を備え、前記トイレトレーニング具は、不使用時に前記本体の内部に格納可能である。
【０００８】
この構成によれば、洋式トイレの便座に猫用トイレの本体を取り付けることによって、人間用の洋式トイレを利用して猫に排便・排尿をさせることができる。この場合、洋式トイレの便座に猫用トイレの本体を取り付けるときに、本体の嵌着部を便座の座面に平行な方向から便座に嵌着する。これにより、猫用トイレを便座に容易に取り付けることができるとともに、使用時（便座に取り付けた状態）の猫用トイレの安定感が向上する。また、この猫用トイレの本体にはトイレトレーニング具が設けられている。このトイレトレーニング具を用いることにより、猫用トイレを使い慣れていない猫のトイレトレーニングを行うことができる。トイレトレーニング具は、不使用時に（あるいは、トイレトレーニングが不要になった時に）、猫用トイレの本体の内部に格納することができる。したがって、トイレトレーニング具をトイレ内の別の場所に保管する場合に比べて、トイレトレーニング具の保管が容易であり、不使用時に紛失してしまうリスクを低減することができる。さらに、トイレトレーニング具を見える場所（例えばトイレの片隅など）に保管する場合に比べて、良好な外観が得られる。
【０００９】
また、本発明の猫用トイレでは、前記トイレトレーニング具は、前記本体に着脱可能に取り付けられるアーム部を備え、前記アーム部は、折り畳み可能かつスライド収納可能であってもよい。
【００１０】
この構成によれば、トイレトレーニング具を猫用トイレの本体から取り外すことができるので、トイレトレーニング具の洗浄が容易になる。また、トイレトレーニング具のアーム部を折り畳んでスライド収納することができるので、トイレトレーニング具を、不使用時に（あるいは、トイレトレーニングが不要になった時に）、猫用トイレの本体の内部に容易に格納することができる。
【００１１】
また、本発明の猫用トイレでは、前記嵌着部は、クッション性を有するクッション部を有し、前記クッション部は、前記本体を前記便座に嵌着するときに前記便座と接触する位置に配置されてもよい。
【００１２】
この構成によれば、猫用トイレの本体を便座に嵌着するときに、嵌着部のクッション部が便座と接触する。クッション部がクッション性を有しているので、便座の厚さと嵌着部の寸法に多少の誤差があり、便座の厚みのほうが嵌着部の寸法より大きい場合であっても、便座の厚みにあうようにクッション部が変形して（押しつぶされて）、猫用トイレの本体を便座に嵌着することができる。また、クッション部がクッション性を有しているので、嵌着時に便座が傷つくのを防ぐことができる。
【００１３】
また、本発明の猫用トイレでは、前記本体の表面に、粗面加工が施されてもよい。
【００１４】
この構成によれば、猫用トイレの本体の表面に粗面加工が施されているので、猫用トイレの本体の上に猫がのると、足裏でその粗面の感触が得られる。その粗面の感触により、猫に排便・排尿を意識させることができる。
【００１５】
また、本発明の猫用トイレでは、前記本体の表面に、使用時における猫の後ろ足に相当する位置に突起部が設けられてもよい。
【００１６】
この構成によれば、猫用トイレの本体の表面の突起部により、猫用トイレの使用時（すなわち、猫の排便・排尿時）における後ろ足の位置を、猫に認識させることができる。
【００１７】
また、本発明の猫用トイレでは、前記トイレトレーニング具に、採尿カップが取り付け可能であってもよい。
【００１８】
この構成によれば、従来は困難であった猫の採尿を、著しく容易に行うことができる。猫は腎臓病を発症することが多く、腎臓病の検査のための採尿の必要が多い。
【発明の効果】
【００１９】
本発明によれば、便座に容易に取り付けることができるとともに使用時の安定感を向上させることができ、不使用時にトイレトレーニング具を紛失するリスクを低減しかつ良好な外観を得ることができる。
【図面の簡単な説明】
【００２０】
【図１】本発明の実施の形態における猫用トイレの斜視図である。
【図２】本発明の実施の形態における猫用トイレの平面図である。
【図３】本発明の実施の形態における猫用トイレ（トイレトレーニング具の使用状態）の側面図である。
【図４】本発明の実施の形態における猫用トイレ（トイレトレーニング具の収納状態）の側面図である。
【図５】本発明の実施の形態における猫用トイレの変形例（採尿カップの取付け状態）の説明図である。
【発明を実施するための形態】
【００２１】
以下、本発明の実施の形態の猫用トイレについて、図面を用いて説明する。本実施の形態では、ペットの猫のトイレトレーニング等に用いられる猫用トイレの場合を例示する。この猫用トイレは、洋式トイレの便座に着脱可能に取り付けられる。
【００２２】
本発明の実施の形態の猫用トイレの構成を、図面を参照して説明する。図１は、本実施の形態の猫用トイレの斜視図であり、図２は、本実施の形態の猫用トイレの平面図である。また、図３および図４は、本実施の形態の猫用トイレの側面図である。
【００２３】
図１〜図４に示すように、猫用トイレ１の本体２の上面には、猫が用を足すためにしゃがみ込むことができるスペースを確保するための座板３が設けられている。また、猫用トイレ１の本体２の前側（図３および図４における右側）の部分には、便座Ｓの座面に平行な方向（図３および図４における横方向）から便座Ｓの前側の部分に嵌着される嵌着部４が設けられている。
【００２４】
座板３の表面には、粗面加工が施されている。また、座板３の表面には、使用時における猫の後ろ足に相当する位置に突起部５が設けられている。嵌着部４は、クッション性を有するクッション部６を有している（図３および図４参照）。クッション部６は、本体２を便座Ｓに嵌着するときに便座Ｓの上面と下面に接触する位置にそれぞれ配置されている。
【００２５】
また、猫用トイレ１の本体２には、猫用のトイレトレーニング具７が設けられている。この場合、猫用トイレ１の本体２の後側（図３および図４における左側）の部分に、格納凹部８が形成されており、トイレトレーニング具７は、不使用時に格納凹部８の内部に格納できるように構成されている。
【００２６】
具体的には、トイレトレーニング具７は、ベース部９と、ベース部９に固定されるアーム部１０を備えている。アーム部１０の先端（図３および図４における左端）には、猫の尿のにおいが付されたトイレットペーパー１１が置かれる。そして、格納凹部８にはスライドレール部１２が設けられており、スライドレール部１２には、トイレトレーニング具７のベース部９がスライド可能に取り付けられている。したがって、ベース部９に固定されるアーム部１０は、猫用トイレ１の本体２にスライド可能に取り付けられているといえる。この場合、スライドレール部１２は、水平方向（図３および図４における横方向）に延びており、このスライドレール部１２に沿ってベース部９をスライドさせることにより、トイレトレーニング具７を水平にスライドさせることが可能である。
【００２７】
また、トイレトレーニング具７のベース部９は、猫用トイレ１の本体２のスライドレール部１２に着脱可能に取り付けられている。したがって、ベース部９に固定されるアーム部１０は、猫用トイレ１の本体２に着脱可能に取り付けられているといえる。また、このアーム部１０は、ヒンジ構造を有しており、折り畳み可能とされている（図４参照）。トイレットペーパー１１の上には、紙砂（ペットのトイレ用の砂）が置かれる。
【００２８】
以上のように構成された猫用トイレ１について、図面（主に、図３および図４）を参照しながら、その使用方法を説明する。
【００２９】
本実施の形態の猫用トイレ１を使用する場合には、まず、猫用トイレ１を洋式トイレの便座Ｓに中央の開口部から挿入して、便座Ｓの前側（図３および図４における右側）に向けてスライドさせる。これにより、猫用トイレ１の本体２の嵌着部４を便座Ｓの座面に平行な方向から便座Ｓに嵌着する。つぎに、格納凹部８に格納されているトイレトレーニング具７を、便座Ｓの後ろ側（図３および図４における左側）に向けてスライドさせて引き出し、折り畳まれた状態のアーム部１０を展開する。そして、アーム部１０の先端にトイレットペーパー１１を置き、その上に紙砂を置くと、図３に示すように、猫用トイレ１（トイレトレーニング具７）を使用できる状態となる。
【００３０】
トイレトレーニング具７を使用しない場合には、図４に示すように、アーム部１０を折り畳んで、ベース部９を便座Ｓの前側（図３および図４における右側）に向けてスライドさせると、トイレトレーニング具７が格納凹部８に格納された状態となる。
【００３１】
このような本実施の形態の猫用トイレ１によれば、洋式トイレの便座Ｓに猫用トイレ１の本体２を取り付けることによって、人間用の洋式トイレを利用して猫に排便・排尿をさせることができる。この場合、洋式トイレの便座Ｓに猫用トイレ１の本体２を取り付けるときに、本体２の嵌着部４を便座Ｓの座面に平行な方向から便座Ｓに嵌着する。これにより、猫用トイレ１を便座Ｓに容易に取り付けることができるとともに、使用時（便座Ｓに取り付けた状態）の猫用トイレ１の安定感が向上する。
【００３２】
また、この猫用トイレ１の本体２にはトイレトレーニング具７が設けられている。このトイレトレーニング具７を用いることにより、猫用トイレ１を使い慣れていない猫のトイレトレーニングを行うことができる。トイレトレーニング具７は、不使用時に（あるいは、トイレトレーニングが不要になった時に）、猫用トイレ１の本体２の内部に格納することができる。したがって、トイレトレーニング具７をトイレ内の別の場所に保管する場合に比べて、トイレトレーニング具７の保管が容易であり、不使用時に紛失してしまうリスクを低減することができる。さらに、トイレトレーニング具７を見える場所（例えばトイレの片隅など）に保管する場合に比べて、良好な外観が得られる。
【００３３】
また、本実施の形態では、トイレトレーニング具７を猫用トイレ１の本体２から取り外すことができるので、トイレトレーニング具７の洗浄が容易になる。また、トイレトレーニング具７のアーム部１０を折り畳んでスライド収納することができるので、トイレトレーニング具７を、不使用時に（あるいは、トイレトレーニングが不要になった時に）、猫用トイレ１の本体２の内部に容易に格納することができる。なお、トイレトレーニングが完全に終了してトイレトレーニング具７が不要になった場合には、トイレトレーニング具７を取り外して、猫用トイレ１の本体２のみで使用することも可能である。
【００３４】
また、本実施の形態では、猫用トイレ１の本体２を便座Ｓに嵌着するときに、嵌着部４のクッション部６が便座Ｓと接触する。クッション部６がクッション性を有しているので、便座Ｓの厚さと嵌着部４の寸法に多少の誤差があり、便座Ｓの厚みのほうが嵌着部４の寸法より大きい場合であっても、便座Ｓの厚みにあうようにクッション部６が変形して（押しつぶされて）、猫用トイレ１の本体２を便座Ｓに嵌着することができる。また、クッション部６がクッション性を有しているので、嵌着時に便座Ｓが傷つくのを防ぐことができる。
【００３５】
また、本実施の形態では、猫用トイレ１の本体２の表面に粗面加工が施されているので、猫用トイレ１の本体２の上に猫がのると、足裏でその粗面の感触が得られる。その粗面の感触により、猫に排便・排尿を意識させることができる。
【００３６】
また、本実施の形態では、猫用トイレ１の本体２の表面に突起部５が設けられているので、この突起部５により、猫用トイレ１の使用時（すなわち、猫の排便・排尿時）における後ろ足の位置を、猫に認識させることができる。
【００３７】
図５には、本実施の形態の猫用トイレ１の変形例が示される。図５に示すように、トイレトレーニング具７のアーム部１０には、採尿カップ１３が取り付けられてもよい。この場合、アーム部１０にはトイレットペーパー１１（図１参照）が置かれておらず、その代わりに採尿カップ１３が上側からはめ込まれる。例えば、採尿カップ１３は、紙製またはプラスチック製である。また、採尿カップ１３の容積は、７０ｍｌ以上（例えば９０ｍｌ）である。一般に、猫の健康診断で獣医が検査に用いる尿の量は２０ｍｌである。したがって、７０ｍｌ以上（例えば９０ｍｌ）の尿を採取できれば十分であると考えられる。この変形例によれば、従来は困難であった猫の採尿を、著しく容易に行うことができる。
【００３８】
以上、本発明の実施の形態を例示により説明したが、本発明の範囲はこれらに限定されるものではなく、請求項に記載された範囲内において目的に応じて変更・変形することが可能である。
【産業上の利用可能性】
【００３９】
以上のように、本発明にかかる猫用トイレは、便座に容易に取り付けることができるとともに使用時の安定感を向上させることができ、不使用時にトイレトレーニング具を紛失するリスクを低減しかつ良好な外観を得るという効果を有し、ペットの猫のトイレトレーニング等に用いられ、有用である。
【符号の説明】
【００４０】
１  猫用トイレ
２  本体
３  座板
４  嵌着部
５  突起部
６  クッション部
７  トイレトレーニング具
８  格納凹部
９  ベース部
１０  アーム部
１１  トイレットペーパー
１２  スライドレール部
Ｓ  便座
【図１】
2017212978.tif 000003
【図２】
2017212978.tif 000004
【図３】
2017212978.tif 000005
【図４】
2017212978.tif 000006
【図５】
2017212978.tif 000007